(57)【要約】【課題】マイコンの量産誤差によって映像信号の増幅にバラツキが生じる。【解決手段】増幅アンプ２１にて映像信号を増幅しつつ、抽出用ＩＣ７０に同映像信号を出力するに際して、増幅率が異なる複数の増幅部２１ａ〜２１ｃから何れかの増幅部２１ａ〜２１ｃを選択し、適切な増幅率に基づいて映像信号を増幅することによって、キャプションデータの感度を良好とすることが可能となり、同キャプションデータに基づいたキャプション表示である字幕情報５１を正確にディスプレイ５０に表示することが可能になる。【選択図】  図５
2004253896.tif 000002
【特許請求の範囲】
【請求項１】
走査線にキャプションデータが重畳された映像信号に基づいてディスプレイにキャプション表示を表示させるテレビジョンにおいて、
放送電波を受信するチューナと、
上記チューナが受信した放送電波に基づいて映像信号を生成するクロマＩＣと、
チップ上に複数の増幅率のうち所定の増幅率にて上記映像信号を増幅可能な増幅アンプが形成され、上記生成された映像信号を入力して何れかの増幅率に基づいて同映像信号を増幅可能な映像信号増幅回路と、
所定の操作にて上記映像信号を増幅させる増幅率を設定可能な工場モードを設定するリモコンと、
上記リモコンにて工場モードが設定された場合に上記ディスプレイに上記映像信号増幅回路の何れの増幅率を使用して映像信号を増幅させるかを選択可能に表示するとともに、上記リモコンにて所定の増幅率を選択させ、上記映像信号増幅回路に同選択された増幅率に基づいて上記映像信号を増幅させる増幅率選択回路と、
上記選択された増幅率によって上記映像信号増幅回路にて増幅された映像信号から上記キャプションデータを抽出するキャプションデータ抽出回路と、
上記抽出したキャプションデータに基づいて上記ディスプレイにキャプション表示を表示させるキャプション表示制御回路とを具備することを特徴とするテレビジョン。
【請求項２】
クローズドキャプションデータが重畳された映像信号を入力する映像信号入力手段と、
複数の増幅率から選択された所定の増幅率に基づいて上記入力された映像信号を増幅可能な映像信号増幅手段と、
上記複数の増幅率から所定の増幅率を選択し、同選択した増幅率に基づいて上記映像信号増幅手段に上記映像信号を増幅させる増幅率選択手段と、
上記選択された増幅率に基づいて増幅された映像信号から上記クローズドキャプションデータを抽出するクローズドキャプションデータ抽出手段と、
上記抽出されたクローズドキャプションデータに基づいてキャプション表示を実行するキャプション表示手段とを具備することを特徴とする映像出力装置。
【請求項３】
上記増幅率選択手段は、上記複数の増幅率を選択可能な増幅率選択画面を表示する選択画面表示手段を有し、同選択画面表示手段にて選択された増幅率に基づいて上記映像信号増幅手段に上記映像信号を増幅させることを特徴とする上記請求項２に記載の映像出力装置。
【請求項４】
上記選択画面表示手段は、上記増幅された映像信号に基づいて上記キャプション表示手段にて表示されるキャプション表示を上記増幅率選択画面に併せて表示することを特徴とする上記請求項３に記載の映像出力装置。
【請求項５】
上記映像信号増幅手段は、上記複数の増幅率を切り換える増幅率切換手段を有し、上記増幅率選択手段にて所定の増幅率が選択された場合、同選択された増幅率にて増幅可能に上記増幅率切換手段を切り換えることを特徴とする上記請求項２〜請求項４のいずれかに記載の映像出力装置。
【請求項６】
工場モードを設定する工場モード設定手段を有し、上記増幅率選択手段は、上記工場モードが設定された場合に上記複数の増幅率から所定の増幅率を選択することを特徴とする上記請求項２〜請求項５のいずれかに記載の映像出力装置。
【請求項７】
上記キャプションデータ抽出手段は、上記抽出したキャプションデータのデータ強度を検出するデータ強度検出手段を有し、上記増幅率選択手段は、同検出されたデータ強度に基づいて所定の増幅率を選択することを特徴とする上記請求項２に記載の映像出力装置。
【請求項８】
走査線にキャプションデータが重畳された映像信号に基づいてディスプレイにキャプション表示を表示させる映像出力方法であって、
上記クローズドキャプションデータが重畳された映像信号を入力する映像信号入力工程と、
複数の増幅率から選択された所定の増幅率に基づいて上記入力された映像信号を増幅可能な映像信号増幅工程と、
上記複数の増幅率から所定の増幅率を選択し、同選択した増幅率に基づいて上記映像信号増幅工程にて上記映像信号させる増幅率選択工程と、
上記選択された増幅率に基づいて増幅された映像信号から上記クローズドキャプションデータを抽出するクローズドキャプションデータ抽出工程と、
上記抽出されたクローズドキャプションデータに基づいてキャプション表示を実行するキャプション表示工程とを具備することを特徴とする映像出力方法。
【発明の詳細な説明】
【０００１】
【発明の属する技術分野】
本発明は、テレビジョン、映像出力装置および映像出力方法に関し、特に、キャプションデータが重畳された映像信号に基づいてキャプション表示を行うテレビジョン、映像出力装置および映像出力方法に関する。
【０００２】
【従来の技術】
従来、この種の映像出力装置として、映像信号の所定の走査線に重畳されたキャプションデータをスライスして抽出するスライス回路に当該キャプションデータの信号レベルをハイレベル（ピーク値）に保持し、確実にキャプションデータを抽出しキャプション表示可能にする技術が開示されている（例えば、特許文献１を参照。）。
【０００３】
【特許文献１】
特開平８−２５１５６０号公報
【０００４】
【発明が解決しようとする課題】
上述した従来の映像出力装置においては、スライス回路に上述したキャプションデータの信号レベルをハイレベル（ピーク値）に保持する回路を配設しなければならないため、スライス回路の回路規模が大きくなり、映像出力装置の回路構成が大きくなってしまうという課題があった。
【０００５】
本発明は、上記課題にかんがみてなされたもので、簡易な構成で安定したキャプション表示を行うことが可能なテレビジョン、映像出力装置および映像出力方法の提供を目的とする。
【０００６】
【課題を解決するための手段】
上記目的を達成するため、請求項１にかかる発明は、走査線にキャプションデータが重畳された映像信号に基づいてディスプレイにキャプション表示を表示させるテレビジョンにおいて、放送電波を受信するチューナと、上記チューナが受信した放送電波に基づいて映像信号を生成するクロマＩＣと、チップ上に複数の増幅率のうち所定の増幅率にて上記映像信号を増幅可能な増幅アンプが形成され、上記生成された映像信号を入力して何れかの増幅率に基づいて同映像信号を増幅可能な映像信号増幅回路と、所定の操作にて上記映像信号を増幅させる増幅率を設定可能な工場モードを設定するリモコンと、上記リモコンにて工場モードが設定された場合に上記ディスプレイに上記映像信号増幅回路の何れの増幅率を使用して映像信号を増幅させるかを選択可能に表示するとともに、上記リモコンにて所定の増幅率を選択させ、上記映像信号増幅回路に同選択された増幅率に基づいて上記映像信号を増幅させる増幅率選択回路と、上記選択された増幅率によって上記映像信号増幅回路にて増幅された映像信号から上記キャプションデータを抽出するキャプションデータ抽出回路と、上記抽出したキャプションデータに基づいて上記ディスプレイにキャプション表示を表示させるキャプション表示制御回路とを具備する構成としてある。
【０００７】
テレビジョンにて走査線にキャプションデータが重畳された映像信号に基づいたキャプション表示をディスプレイに表示させる場合、抽出したキャプションデータのデータ強度が不安定になると、正確に同キャプションデータを映像信号から抽出できない。このため、キャプション表示ができない場合が発生する。そこで、上記のように構成した請求項１にかかる発明においては、チューナにて放送電波を受信し、クロマＩＣにてチューナが受信した放送電波に基づいて映像信号を生成する。ここで、チップ上に複数の増幅率のうち所定の増幅率にて増幅可能な増幅アンプが形成された映像信号増幅回路にてクロマＩＣにて生成された映像信号を入力して何れかの増幅率に基づいて同映像信号を増幅可能とする。
【０００８】
このとき、リモコンにおける所定の操作にて映像信号を増幅させる増幅率を選択可能な工場モードを設定された場合に、増幅率選択回路は、ディスプレイに映像信号増幅回路の何れの増幅率を使用して映像信号を増幅させるかを選択可能に表示する。増幅率選択回路は、リモコンにて所定の増幅率を選択させ、映像信号増幅回路にこの選択された増幅率に基づいて映像信号を増幅させる。そして、キャプションデータ抽出回路は、映像信号増幅回路にて増幅された映像信号からキャプションデータを抽出し、キャプション表示制御回路は、抽出したキャプションデータに基づいてディスプレイにキャプション表示を表示させる。
【０００９】
このように所望の増幅率が選択された増幅アンプにて映像信号を増幅することにより、キャプションデータのデータ強度（例えば、データ振幅）が増幅されるため、安定したデータとしてのキャプションデータを抽出することができる。従って、確実にキャプション表示を行うことが可能になる。ここで、上述した映像信号増幅回路、映像信号選択回路、キャプションデータ抽出回路、キャプション表示回路は、個別の回路基板もしくはチップにて形成しても良いし、何れかを同一の回路基板もしくはチップ上に形成しても良い。具体的にはマイコンとして機能する回路基板もしくはチップ上に形成しても良く、その回路設計は、適宜適用可能であることは言うまでもない。
【００１０】
上述してきた構成を採用することによりテレビジョンにて確実にキャプション表示を行うことが可能になる。一方、かかる映像信号を所望の増幅率によって増幅することによってキャプションデータの感度を向上させ、キャプション表示を確実に行うことを可能にする技術的思想は、その技術を適用する具体的機器（テレビジョン）に限定されるものでなく、映像出力装置としても成立し得ることは言うまでもない。そこで、請求項２にかかる発明は、クローズドキャプションデータが重畳された映像信号を入力する映像信号入力手段と、複数の増幅率から選択された所定の増幅率に基づいて上記入力された映像信号を増幅可能な映像信号増幅手段と、上記複数の増幅率から所定の増幅率を選択し、同選択した増幅率に基づいて上記映像信号増幅手段に上記映像信号を増幅させる増幅率選択手段と、上記選択された増幅率に基づいて増幅された映像信号から上記クローズドキャプションデータを抽出するクローズドキャプションデータ抽出手段と、上記抽出されたクローズドキャプションデータに基づいてキャプション表示を実行するキャプション表示手段とを具備する構成としてある。
【００１１】
上記のように構成した請求項２にかかる発明においては、映像信号入力手段にてクローズドキャプションデータが重畳された映像信号を入力する。ここで、映像信号増幅手段は、複数の増幅率から選択された所定の増幅率に基づいて、この入力された映像信号を増幅可能に構成する。このとき、増幅率選択手段では、複数の増幅率から所定の増幅率を選択し、この選択した増幅率に基づいて映像信号増幅手段に映像信号を増幅させる。そして、クローズドキャプションデータ抽出手段にて選択された増幅率に基づいて増幅された映像信号からクローズドキャプションデータを抽出し、キャプション表示手段にて、抽出されたクローズドキャプションデータに基づいてキャプション表示を実行する。このように映像信号を所望の増幅率にて増幅することにより、キャプションデータのデータ強度（例えば、データ振幅）が増幅されるため、安定したデータとしてのキャプションデータを抽出することができるようになり、確実にキャプション表示を映像出力することが可能になる。
【００１２】
所望の増幅率を選択する際に、選択可能な増幅率を視認しつつ、選択するインターフェースがあると操作性が向上し好適である。そこで、請求項３にかかる発明は、上記請求項２に記載の映像出力装置において、上記増幅率選択手段は、上記複数の増幅率を選択可能な増幅率選択画面を表示する選択画面表示手段を有し、同選択画面表示手段にて選択された増幅率に基づいて上記映像信号増幅手段に上記映像信号を増幅させる構成としてある。
上記のように構成した請求項３にかかる発明においては、増幅率選択手段に備えさせた選択画面表示手段にて複数の増幅率を選択可能な増幅率選択画面を表示する。そして、増幅率選択手段では、この選択画面表示手段にて選択された増幅率に基づいて映像信号増幅手段に映像信号を増幅させる。
【００１３】
増幅率を選択しながら、その選択した増幅率に基づくキャプション表示を視認できると、操作性が向上して好ましい。そこで、請求項４にかかる発明は、上記請求項３に記載の映像出力装置において、上記選択画面表示手段は、上記増幅された映像信号に基づいて上記キャプション表示手段にて表示されるキャプション表示を上記増幅率選択画面に併せて表示する構成としてある。
上記のように構成した請求項４にかかる発明においては、選択画面表示手段にて増幅された映像信号に基づいてキャプション表示手段にて表示されるキャプション表示を増幅率選択画面に併せて表示する。
【００１４】
簡易な構成で適宜選択された増幅率に基づいて映像信号を増幅させることが可能な手法の一例として、請求項５にかかる発明は、上記請求項２〜請求項４のいずれかに記載の映像出力装置において、上記映像信号増幅手段は、上記複数の増幅率を切り換える増幅率切換手段を有し、上記増幅率選択手段にて所定の増幅率が選択された場合、同選択された増幅率にて増幅可能に上記増幅率切換手段を切り換える構成としてある。
上記のように構成した請求項５にかかる発明においては、映像信号増幅手段に複数の増幅率を切り換える増幅率切換手段を備えさせる。かかる場合、映像信号増幅手段は、増幅率選択手段にて所定の増幅率が選択された場合にこの選択された増幅率にて増幅可能に増幅率切換手段を切り換える。
【００１５】
増幅率を選択する態様の一例として、請求項６にかかる発明は、上記請求項２〜請求項５のいずれかに記載の映像出力装置において、工場モードを設定する工場モード設定手段を有し、上記増幅率選択手段は、上記工場モードが設定された場合に上記複数の増幅率から所定の増幅率を選択する構成としてある。
上記のように構成した請求項６にかかる発明においては、工場モード設定手段にて工場モードが設定された場合に、増幅率選択手段にて複数の増幅率から所定の増幅率を選択する。
【００１６】
上述してきた発明では、所定の選択に基づいて映像信号を増幅する増幅率を選択する態様を採用した。一方、キャプション表示を確実に行えるキャプションデータのデータ強度が認識できている場合は、抽出したキャプションデータのデータ強度に基づいて適宜自動的に映像信号を増幅する増幅率を選択しても良い。そこで、請求項７にかかる発明は、上記請求項２に記載の映像出力装置において、上記キャプションデータ抽出手段は、上記抽出したキャプションデータのデータ強度を検出するデータ強度検出手段を有し、上記増幅率選択手段は、同検出されたデータ強度に基づいて所定の増幅率を選択する構成としてある。
上記のように構成した請求項７にかかる発明においては、キャプションデータ抽出手段に抽出したキャプションデータのデータ強度を検出するデータ強度検出手段を備えさせ、増幅率選択手段にてこの検出されたデータ強度に基づいて所定の増幅率を選択させる。
【００１７】
上述してきた走査線にキャプションデータが重畳された映像信号に基づいてディスプレイにキャプション表示を表示させる手法は必ずしも実体のある装置に限られる必要はなく、その方法としても機能することは容易に理解できる。
このため、請求項８にかかる発明は、走査線にキャプションデータが重畳された映像信号に基づいてディスプレイにキャプション表示を表示させる映像出力方法であって、上記クローズドキャプションデータが重畳された映像信号を入力する映像信号入力工程と、複数の増幅率から選択された所定の増幅率に基づいて上記入力された映像信号を増幅可能な映像信号増幅工程と、上記複数の増幅率から所定の増幅率を選択し、同選択した増幅率に基づいて上記映像信号増幅工程にて上記映像信号させる増幅率選択工程と、上記選択された増幅率に基づいて増幅された映像信号から上記クローズドキャプションデータを抽出するクローズドキャプションデータ抽出工程と、上記抽出されたクローズドキャプションデータに基づいてキャプション表示を実行するキャプション表示工程とを具備する構成としてある。
すなわち、必ずしも実体のある装置に限らず、その方法としても有効であることに相違はない。
【００１８】
【発明の効果】
以上説明したように本発明は、複数の増幅アンプから所望の増幅率を有する増幅アンプを選択し、同選択した増幅アンプにてによって映像信号を増幅させることによって、キャプションデータの感度を向上させることにより、確実にキャプション表示を行うことが可能になるテレビジョンを提供することができる。
また、請求項２にかかる発明によれば、キャプション表示を確実に映像として出力することが可能な映像出力装置を提供することができる。
さらに、請求項３にかかる発明によれば、増幅率選択画面を視認しつつ所望の増幅率を選択することができるので操作性が向上する。
さらに、請求項４にかかる発明によれば、増幅率を選択する際の操作性が向上する。
さらに、請求項５にかかる発明によれば、映像信号増幅手段において簡易な構成で増幅率の選択を行うことが可能になる。
さらに、請求項６にかかる発明によれば、工場出荷時等に各種設定を行う工場モード時にキャプション表示を確実に表示することができる増幅率を設定することが可能になる。
さらに、請求項７にかかる発明によれば、検出したキャプションデータのデータ強度に基づいて自動的に最適の増幅率を選択することが可能になる。
さらに、請求項８にかかる発明によれば、キャプション表示を確実に映像として出力することが可能な映像出力方法を提供することができる。
【００１９】
【発明の実施の形態】
ここでは、下記の順序に従って本発明の実施形態について説明する。
（１）テレビジョンの構成：
（２）キャプション表示処理：
（３）変形例１：
（４）変形例２：
（５）まとめ：
【００２０】
（１）テレビジョンの構成：
図１は、本発明にかかる映像出力装置を適用したテレビジョンの構成を示した構成図である。また、図２は、同テレビジョンにて受信するテレビジョン信号に含まれる走査線の２１Ｈ期間の信号構成を示した構成図である。図において、チューナブロック１０は、チューナ１１とＩＦ１２とを備え、マイコン２０から指示された同調周波数により、アンテナ１３を介してテレビジョン信号を受信して中間周波信号（ＩＦ信号）を出力している。この中間周波信号は、クロマＩＣ３０に供給されると、このクロマＩＣ３０にて映像信号などに復元される。すると、この映像信号は、ＯＳＤ（オンスクリーンディスプレイ）回路４０や図示しない高圧回路などを介してディスプレイ５０に供給され、アンテナ１３にて受信したテレビジョン信号に基づくテレビジョン放送映像を表示する。なお、ＯＳＤ回路４０は、クロマＩＣ３０にて生成された映像信号に所定のキャラクタやグラフィック画像を重畳して表示しており、例えば、テレビジョン信号を構成する走査線の２１Ｈ期間に重畳されているクローズドキャプションデータに基づいたキャラクタやグラフィック画像をキャプション表示（例えば、字幕情報等）をすることができるようになっている。
【００２１】
マイコン２０は、クロマＩＣ３０に接続され、受信周波数の指示やテレビジョン全体の制御を行っているが、このマイコン２０には、この他にも初期設定などを記憶するＥＥＰＲＯＭ６０や、テレビジョン信号の２１Ｈ期間に重畳されたキャプションデータを抽出する抽出用ＩＣ７０なども接続されている。ここで、ＥＥＰＲＯＭ６０は、不揮発性の記憶領域であり、マイコン２０は、チャンネル周波数の設定値の他、放送局の有無を表すプリセットデータや機器の構成状況などをこのＥＥＰＲＯＭ６０に書き込んで必要に応じて参照している。また、マイコン２０はチャンネル操作等を実施可能な操作手段８０として、操作パネル８１やリモコン８２が接続されており、これらの操作手段８０を介して上述したチャンネル操作や諸設定を行うことが可能となっている。
【００２２】
また、抽出用ＩＣ７０は、テレビジョン信号の２１Ｈ期間にキャプションデータが重畳されている場合に、このキャプションデータを抽出するデータスライサである。ここで、図２に示すように２１Ｈ期間は水平同期信号Ｓ間にラインクロックデータＤ１と、スタートビットデータＤ２と、キャプションデータＤ３とを備える構成となっており、各データＤ１〜Ｄ３は電圧レベルＶｄｄ／２を基準にしてデータが形成されている。キャプションデータＤ３はこの電圧レベルＶｄｄ／２を「０」を形成するとともに、所定電圧をかさ上げして「１」を形成し、「０」「１」データの構成によって所定内容のデータを構成している。
【００２３】
このように重畳されているキャプションデータには、字幕表示用のデータ等の多種多様のデータが含まれている。本実施形態においては、字幕表示用のデータを例について説明する。この抽出用ＩＣ７０はマイコン２０を介して入力した映像信号からキャプションデータを抽出し、ＯＳＤ回路４０に出力する。ここで、マイコン２０は図示しない増幅アンプが内蔵されており、抽出用ＩＣ７０にて正確に上述した「０」「１」レベルのキャプションデータが抽出されるように、同増幅アンプにて映像信号全体の信号レベルを所定の増幅率に基づいて増幅している。そして、ＯＳＤ回路４０は、クロマＩＣ３０から入力する映像信号に、この抽出したキャプションデータに基づくキャプション表示を重畳する。これによって、キャプション表示としての字幕情報が映像に付加されたテレビジョン放送映像がディスプレイ５０に映出されることになる。
【００２４】
図３は、キャプション表示処理の処理内容を示したフローチャートである。また、図４は、キャプション表示による映像が映出されたディスプレイ５０の画面図である。図において、マイコン２０はクロマＩＣ３０にて生成された映像信号を入力すると所定の増幅率に基づいて当該映像信号を増幅するとともに（ステップＳ１０５）、同増幅した映像信号を抽出用ＩＣ７０に出力する（ステップＳ１１０）。そして、抽出用ＩＣ７０はこの増幅された映像信号の２１Ｈ期間に重畳されているキャプションデータを抽出してＯＳＤ回路４０に出力する（ステップＳ１１５）。ここで、ＯＳＤ回路４０は、クロマＩＣ３０から入力する映像信号に基づいてディスプレイ５０に出力するＲＧＢ信号を生成するとともに、入力したキャプションデータに基づいてキャプション表示のＲＧＢ信号を生成し、２つのＲＧＢ信号を重畳させることによって、ディスプレイ５０にキャプション表示である字幕情報５１が映像に付加されたテレビジョン放送映像を表示させる（ステップＳ１２０）。
【００２５】
ここで、マイコン２０は量産されるものであり、内蔵される増幅アンプに製造誤差が発生する。このように製造誤差が発生すると増幅率に影響を及ぼす。かかる場合、映像信号を抽出用ＩＣ７０にてキャプションデータを正確に抽出することが可能な信号レベルに増幅することができない場合がある。すると、抽出用ＩＣ７０は、キャプションデータを抽出することができなくなり、ＯＳＤ回路４０にてテレビジョン放送映像にキャプション表示である字幕情報５１を重畳することができない。そこで、本実施形態においては、予めマイコン２０に複数の増幅率にて映像信号を増幅可能な増幅アンプ２１を配設し、マイコン２０の製造誤差に応じ、抽出用ＩＣ７０にてキャプションデータを正確に抽出可能な増幅率を適宜選択できる機能を提供する。
【００２６】
図５は、上述した機能を実現可能なマイコン２０の内部構成を簡略して示した構成図である。同図においては、マイコン２０の増幅アンプ２１に３ｄＢの周波数特性を有する増幅部２１ａと、６ｄＢの周波数特性を有する増幅部２１ｂと、１０ｄＢの周波数特性を有する増幅部２１ｃとを形成する。そして、増幅アンプ２１にこれらの増幅部２１ａ〜２１ｃの何れかにクロマＩＣ３０からコンデンサ３１および抵抗３２を介して入力する映像信号を伝達可能に接続する切換スイッチ２３を配設する。この切換スイッチ２３はマイコン２０内のバス２２に接続されており、バスコントロールに基づいてスイッチを何れかの増幅部２１ａ〜２１ｃに切り換え可能になっている。ここで、本実施形態においては、増幅部２１ａ〜２１ｃを形成し、この３つの増幅部２１ａ〜２１ｃにおいて所定の増幅部２１ａ〜２１ｃに切り換え可能な構成を採用したが、むろん、増幅部は３つに限定されるものではない。
【００２７】
図６は、かかる構成において使用者が適宜何れかの増幅部２１ａ〜２１ｃに切り換える際に、ディスプレイ５０に表示される増幅率選択オプション画面の画面構成の一例を示した画面図である。
同図において、増幅率選択オプション画面Ｍ１には増幅部２１ａ〜２１ｃに対応して、増幅率選択表示Ｍ１１〜Ｍ１３が表示されており、増幅率選択表示Ｍ１１に反転カーソルを移動させてＯＫボタンＭ１４を押し下げれば切換スイッチ２３のスイッチが増幅部２１ａに切り換わるようにパラメータが設定される。また、増幅率選択表示Ｍ１２に反転カーソルを移動させてＯＫボタンＭ１４を押し下げれば切換スイッチ２３のスイッチが増幅部２１ｂに切り換わるようにパラメータが設定される。そして、増幅率選択表示Ｍ１３に反転カーソルを移動させてＯＫボタンＭ１４が押し下げれば切換スイッチ２３のスイッチが増幅部２１ｃに切り換わるようにパラメータが設定される。
【００２８】
次に、上述した増幅率選択オプション画面Ｍ１にて所定の増幅率を選択する際に、マイコン２０にて実行される増幅部切換処理の処理内容を図７のフローチャートに示す。同図において、このような調整作業は工場出荷時やメンテナンス時に行うため、操作パネル８１もしくはリモコン８２にて所定の操作が実施されて工場モードにモード変更されたか否かを判別する（ステップＳ２０５）。次に、工場モードの下、上述した増幅率選択オプション画面Ｍ１をディスプレイ５０に表示する所定の操作が行われたか否かを判別する（ステップＳ２１０）。この所定の操作が行われたと判別した場合は、クロマＩＣ３０およびＯＳＤ回路４０を介してディスプレイ５０に増幅率選択オプション画面Ｍ１を表示し、増幅率選択表示Ｍ１１〜Ｍ１３を選択可能にする（ステップＳ２１５）。
【００２９】
作業者が操作パネル８１もしくはリモコン８２にて所定の操作を行い何れかの増幅率選択表示Ｍ１１〜Ｍ１３を選択してＯＫボタンＭ１４を押し下げた場合は（ステップＳ２２０）、選択された増幅率選択表示Ｍ１１〜Ｍ１３に基づいてＥＥＰＲＯＭ６０にパラメータを設定する（ステップＳ２２５）。そして、バス２２を介して切換スイッチ２３のスイッチの切り換えを行うに際して、このＥＥＰＲＯＭ６０に設定されたパラメータを読み出し、同パラメータに基づいたスイッチの切換制御を実行する（ステップＳ２３５）。そして、ディスプレイ５０に表示されている増幅率選択画面Ｍ１を消去し増幅率切換処理を終了させる（ステップＳ２４０）。以降、テレビジョンが電源立ち上げされた場合は、ＥＥＰＲＯＭ６０のパラメータを読み出して、切換スイッチ２３の初期化を行う。
【００３０】
図８は、キャプション表示処理の処理内容を示した示したフローチャートである。同図において、マイコン２０はクロマＩＣ３０にて生成された映像信号を入力すると（ステップＳ３０５）、切換スイッチ２３のスイッチの切り換えによって選択されている増幅部２１ａ〜２１ｃの増幅率（３ｄＢもしくは６ｄＢもしくは１０ｄＢ）に基づいて当該映像信号を増幅するとともに（ステップＳ３１０）、同増幅した映像信号を抽出用ＩＣ７０に出力する。そして、抽出用ＩＣ７０はこの増幅された映像信号の２１Ｈ期間に重畳されているキャプションデータを抽出してＯＳＤ回路４０に出力する（ステップＳ３１５）。ここで、ＯＳＤ回路４０は、クロマＩＣ３０から入力する映像信号に基づいてディスプレイ５０に出力するＲＧＢ信号を生成するとともに、入力したキャプションデータに基づいてキャプション表示のＲＧＢ信号を生成し、２つのＲＧＢ信号を重畳させることによって（ステップＳ３２０）、ディスプレイ５０にキャプション表示である字幕情報５１が映像に付加されたテレビジョン放送映像を表示させる（ステップＳ３２５）。以上のように本実施形態はマイコン２０にて映像信号を適宜増幅させることによって、マイコン２０の製造誤差を吸収し、安定してキャプション表示である字幕情報５１をディスプレイ５０に表示することを可能にする。
【００３１】
（３）変形例１：
上述した実施形態では、増幅率選択オプション画面Ｍ１にて所望の増幅率選択表示Ｍ１１〜Ｍ１３を選択することによって、増幅部２１ａ〜２１ｃの何れかにて映像信号を増幅させる態様を採用した。かかる場合、例えば、３ｄＢの周波数特性を有する増幅部２１ａを選択して設定を終了した後に、工場モードを抜けて通常モードにてテレビジョン放送信号に基づいたテレビジョン放送映像をディスプレイ５０に映出した場合、キャプションデータの増幅度合いが足りない場合があり得る。このとき、再度工場モードにモード変更して所定の操作を行い、増幅率選択オプション画面Ｍ１にて増幅率選択表示Ｍ１１〜Ｍ１３の選択操作（この場合は、増幅率選択表示Ｍ１２もしくは増幅率選択表示Ｍ１３の何れかにを選択することになる。）を行わなければならないため煩雑である。かかる場合、増幅率選択オプション画面Ｍ１にて選択した増幅率選択表示Ｍ１１〜Ｍ１３に対応した増幅部２１ａ〜２１ｃにて増幅させた映像信号に基づく字幕情報Ｍ５１を図９に示すように増幅率選択表示Ｍ１１〜Ｍ１３と併せて表示させると作業者はこの字幕情報Ｍ５１を視認しつつ最適な増幅率選択表示Ｍ１１〜Ｍ１３の選択を行うことが可能となり好ましい。
【００３２】
図１０は、かかる場合における増幅率選択処理の処理内容を示したフローチャートである。
同図において、操作パネル８１もしくはリモコン８２にて所定の操作が実施されて工場モードにモード変更されたか否かを判別する（ステップＳ４０５）。次に、工場モードの下、上述した増幅率選択オプション画面Ｍ１をディスプレイ５０に表示する所定の操作が行われたか否かを判別する（ステップＳ４１０）。この所定の操作が行われたと判別した場合は、クロマＩＣ３０およびＯＳＤ回路４０を介してディスプレイ５０に図９に示す増幅率選択オプション画面Ｍ１を表示し、増幅率選択表示Ｍ１１〜Ｍ１３を選択可能にする（ステップＳ４１５）。
【００３３】
増幅率選択オプション画面Ｍ１を表示するとクロマＩＣ３０から映像信号を入力するとともに（ステップＳ４２０）、反転カーソルが移動している増幅率選択表示Ｍ１１〜Ｍ１３に基づいてＥＥＰＲＯＭ６０に仮パラメータを設定する（ステップＳ４２５）。そして、バス２２を介して切換スイッチ２３のスイッチの切り換えを行うに際して、このＥＥＰＲＯＭ６０に設定された仮パラメータを読み出し、同仮パラメータに基づいたスイッチの切換制御を実行する（ステップＳ４３０）。ここで、増幅した映像信号を抽出用ＩＣ７０に出力してキャプションデータの抽出を行わせるとともに（ステップＳ４３５）、ＯＳＤ回路４０にてキャプション表示である字幕情報Ｍ５１を増幅率選択オプション画面Ｍ１に重畳させ（ステップＳ４４０）、ディスプレイ５０に映像を表示させる（ステップＳ４４５）。
【００３４】
以上の処理をＯＫボタンＭ１４が押し下げられるまで実行する（ステップＳ４５０）。ＯＫボタンＭ１４が押し下げられた場合は、選択された増幅率選択表示Ｍ１１〜Ｍ１３に基づいてＥＥＰＲＯＭ６０にパラメータを設定する（ステップＳ４５５）。そして、バス２２を介して切換スイッチ２３のスイッチの切り換えを行うに際して、このＥＥＰＲＯＭ６０に設定されたパラメータを読み出し、同パラメータに基づいたスイッチの切換制御を実行する（ステップＳ４６０）。そして、ディスプレイ５０に表示されている図９に示した増幅率選択画面Ｍ１を消去し増幅率切換処理を終了させる（ステップＳ４６５）。以降は、上述した実施形態と同様にテレビジョンが電源立ち上げされた場合は、ＥＥＰＲＯＭ６０のパラメータを読み出して、切換スイッチ２３の初期化を行う。
【００３５】
（４）変形例２：
上述してきた実施形態においては、作業者が工場モードにて増幅率選択オプション画面Ｍ１をオープンし、所定の操作を行うことによって、映像信号が所望の増幅率によって増幅される構成を採用した。このように手動にて増幅率を選択する構成を採用しても良いし、キャプションデータの振幅を検出し、この振幅が最適となる増幅率を自動的に選択する構成を採用しても良い。
【００３６】
図１０は、かかる場合における増幅率選択処理の処理内容を示したフローチャートである。同図において、操作パネル８１もしくはリモコン８２にて所定の操作が実施されて工場モードにモード変更されたか否かを判別する（ステップＳ５０５）。次に、工場モードの下、増幅率選択オプションの選択操作が行われたか否かを判別する（ステップＳ５１０）。この所定の操作が行われたと判別した場合は、切換スイッチ２３の切換制御を実行し、スイッチを増幅部２１ａに接続する（ステップＳ５１１）。そして、クロマＩＣ３０から映像信号を入力するとともに（ステップＳ５１５）、増幅した映像信号を抽出用ＩＣ７０に出力してキャプションデータの抽出を行わせるとともに（ステップＳ５２０）、この抽出されたクローズドキャプションデータを入力してデータ振幅を検出する（ステップＳ５２５）。
【００３７】
このデータ振幅が正常であるか否かを判定し（ステップＳ５２６）、正常でない場合は、ステップＳ５１１に戻って次ぎの増幅部にスイッチを設定し、上述した処理を繰り返す。一方、ステップＳ５２６にて正常と判定された場合は、正常と判定された増幅部２１ａ〜２１ｃに基づいてＥＥＰＲＯＭ６０にパラメータを設定する（ステップＳ５３０）。そして、バス２２を介して切換スイッチ２３のスイッチの切り換えを行うに際して、このＥＥＰＲＯＭ６０に設定されたパラメータを読み出し、同パラメータに基づいたスイッチの切換制御を実行する（ステップＳ５３５）。
【００３８】
（５）まとめ：
このように、増幅アンプ２１にて映像信号を増幅しつつ、抽出用ＩＣ７０に同映像信号を出力するに際して、増幅率が異なる複数の増幅部２１ａ〜２１ｃから何れかの増幅部２１ａ〜２１ｃを選択し、適切な増幅率に基づいて映像信号を増幅することによって、キャプションデータの感度を良好とすることが可能となり、同キャプションデータに基づいたキャプション表示である字幕情報５１を正確にディスプレイ５０に表示することが可能になる。
【図面の簡単な説明】
【図１】テレビジョンの構成を示した構成図である。
【図２】走査線２１Ｈ期間のデータ構成を示した構成図である。
【図３】キャプション表示処理の処理内容を示したフローチャートである。
【図４】ディスプレイに表示される画面の一例を示した画面図である。
【図５】マイコンの構成を示した構成図である。
【図６】増幅率選択オプション画面の画面構成を示した図である。
【図７】増幅率選択処理の処理内容を示したフローチャートである。
【図８】キャプション表示処理の処理内容を示したフローチャートである。
【図９】増幅率選択オプション画面の画面構成を示した図である。
【図１０】増幅率選択処理の処理内容を示したフローチャートである。
【図１１】増幅率選択処理の処理内容を示したフローチャートである。
【符号の説明】
１０…チューナブロック
１１…チューナ
１２…ＩＦ
１３…アンテナ
２０…マイコン
２１…増幅アンプ
２１ａ〜２１ｃ…増幅部
２２…バス
２３…切換スイッチ
３０…クロマＩＣ
４０…ＯＳＤ回路
５０…ディスプレイ
６０…ＥＥＰＲＯＭ
７０…抽出用ＩＣ
８０…操作手段
８１…操作パネル
８２…リモコン
【図１】
2004253896.tif 000003
【図２】
2004253896.tif 000004
【図３】
2004253896.tif 000005
【図４】
2004253896.tif 000006
【図５】
2004253896.tif 000007
【図６】
2004253896.tif 000008
【図７】
2004253896.tif 000009
【図８】
2004253896.tif 000010
【図９】
2004253896.tif 000011
【図１０】
2004253896.tif 000012
【図１１】
2004253896.tif 000013